(57)【要約】【課題】送風装置の送風ファンが所定の基準、あるいは、設定回転数で回転しているとき、当該送風ファンが畜舎内に流入する外気の流速により事前に設定された回転数を一定時間以上越えたり、低下して回転した場合は送風装置の運転を自動的停止させ、前記自動停止した送風装置の送風ファンの外気による空転回転数が、事前に設定した回転数以下に降下した場合、送風装置を自動的に再駆動させるようにした畜舎用送風装置を提供する。【解決手段】  畜舎１内の長手方向に沿って直線状に配列されて吊設した複数の送風装置２と、前記畜舎１内に取付けられて畜舎１内の温度を検出する温度検出センサ１１と、前記畜舎１の出入口１３や窓１４から畜舎１内に流入する外気の流速に応じて送風装置２への通電及び通電停止を制御する駆動運転制御部２０とを具備して構成したことを特徴とする畜舎用送風装置。【選択図】図６
2007263088.tif 000002
【特許請求の範囲】
【請求項１】
畜舎内の長手方向に沿って直線状に配列されて吊設した複数の送風装置と、前記畜舎内
に取付けられて畜舎内の温度を検出する温度検出センサと、前記畜舎の出入口や窓から畜
舎内に流入する外気の流速に応じて送風装置への通電停止及び通電開始を制御する送風装
置の駆動運転制御部とを具備して構成したことを特徴とする畜舎用送風装置。
【請求項２】
前記駆動運転制御部には、畜舎内に流入する外気の流速により送風装置の送風ファンが
所定の設定回転数を一定時間以上逸脱した場合、前記送風装置への通電を停止させて送風
装置の運転を停止させる電動機停止手段を具備させたことを特徴とする請求項１記載の畜
舎用送風装置。
【請求項３】
前記駆動運転制御部には、送風装置への通電停止中において外気の流入により空転する
送風装置の送風ファンの空転回転数が所定の設定回転数以下の場合は、送風装置への通電
を再開する通電再開指令手段を具備させたことを特徴とする請求項１記載の畜舎用送風装
置。
【請求項４】
前記駆動運転制御部には、送風装置への通電再開後において送風ファンが所定の時間内
に設定回転数に達しない場合は、送風装置の駆動を異常と判定する機能を内蔵した制御部
と、該制御部からの指令にて送風装置への通電停止を指令する通電停止手段と、送風装置
の異常停止を報知する報知手段とを具備させたことを特徴とする請求項１記載の畜舎用送
風装置。
【請求項５】
前記駆動運転制御部には、畜舎内の検出温度に追随した回転数にて送風装置の送風ファ
ンを回転させるようにした送風装置の回転数を可変する機能を内蔵した制御部と、前記送
風ファンの回転数が畜舎内に流入する外気の流速により前記検出温度に追随する回転数を
一定時間以上逸脱した場合は、前記送風装置への通電を停止させる電動機停止手段とを具
備させたことを特徴とする請求項１記載の畜舎用送風装置。
【発明の詳細な説明】
【技術分野】
【０００１】
本発明は、牛，馬等の家畜を飼育する畜舎に複数台吊設されて、畜舎内に所定の送風量
で送風し畜舎内を常に換気・乾燥させるようにした畜舎用送風装置の改良に係り、その目
的は、送風装置の運転中に外部から畜舎内に流入する外気の風力によって、前記送風装置
の運転が妨げられるのを簡易に回避し、送風装置を省エネで、かつ、畜舎内の換気を常に
良好に維持・運転させることにより、畜舎の飼育環境の向上を図るようにしたことにある
。
【背景技術】
【０００２】
従来から、畜舎の飼育環境の維持・向上を図る場合、エアコン等の空調設備を導入する
ことは採算上の問題から採用することが難しく、通常は安価な送風ファンからなる畜舎用
の送風装置を用いて、畜舎内を換気・乾燥させながら家畜を飼育していた。ところが、牛
，馬等大形の家畜を飼育する場合、牛，馬等の家畜は冬場の寒い時期においては比較的体
調を崩すことなく飼育することができる反面、夏の暑い時期においては、暑さはもとより
湿度の急上昇にともない体調を崩し易い傾向にあった。
【０００３】
このため、牛舎等の畜舎には、建屋の面積に応じて、例えば、前記した複数の送風装置
が、天井から吊設された状態で取付けられている。これは、梅雨時から秋にかけて家畜の
暑さに対する疲労（夏ばて）を防ぐとともに、晩秋や初夏における日中と朝・夕方の温度
差を少なくすることにより、家畜が体調を崩すのを未然に防ぐようにしたり、あるいは、
畜舎の床に敷きつめた藁やおが屑からなる敷物を良好に乾燥させたり、畜舎内から糞尿や
家畜の体臭等より発する悪臭を屋外に排出することにより、常に畜舎内の飼育環境を良好
に維持して家畜を健康な状態で飼育するために設置されている（例えば、特許文献１参照
）。
【０００４】
そして、前記畜舎用送風装置の設置に際しては、畜舎内をその長手方向に対して複数の
ブロックに仮想分割し、各ブロックの畜舎内には、畜舎内の環境状況を感知する温度セン
サ等のセンサを設置するとともに、各ブロック毎に、畜舎用送風装置を畜舎の長手方向に
沿って所定数設置し、各ブロック毎の送風装置の回転数を制御するインバータを各ブロッ
ク毎に設置し、各ブロック毎のセンサから送出されるデータを目標データと比較してイン
バータに伝達する子シーケンサを各ブロック毎に設け、各ブロック毎に独立して換気・乾
燥を促すことにより、家畜が温度や湿度の上昇によって体調を崩すという問題を回避する
ようにしていた（例えば、特許文献１参照）。
【０００５】
【特許文献１】特公平３−６２９７８号公報
【発明の開示】
【発明が解決しようとする課題】
【０００６】
然るに、前記複数の送風装置を備えた畜舎においては、特に春先から秋にかけて天気の
よい日は、畜舎内の乾燥を促進したり、臭気を軽減させる関係上、畜舎出入口の扉や窓を
日中においては開放している場合が多く、この場合においても送風装置を常時駆動し、外
気の流入促進と相まって畜舎内の換気と乾燥を良好に維持し、畜舎内を常に衛生的に保持
するようにしていた。
【０００７】
しかし、前記において、畜舎を日中において開放している場合、外部から突風のような
強い風（外気）が畜舎内に流入した場合、例えば、流速５〜１０ｍ／ｓ以上の外気が畜舎
内に流入すると、外気が通流する付近に取付けられている送風装置は、前記外気の流入に
より、該風が追い風の場合は、送風ファンの回転数は設定回転数以上に急上昇し、逆に、
向い風の場合送風ファンは、逆風により回転数が設定回転数より低下して回転する。
【０００８】
この結果、外気の流入が追い風となって送風ファンを回転させた場合、即ち、送風ファ
ンが設定回転数以上に回転すると、送風ファンからの送風が強くなって家畜側に送風され
たり、畜舎の床面側に排風されることになるため、家畜は設定回転数以上の風力を強風が
流入している間受けているので、体調を崩すおそれがあった。また、前記強風が畜舎の床
面側に排風された場合、床面に敷設した藁や埃等が舞い上がって畜舎内を循環することに
なるため、畜舎の飼育環境を悪化させる懸念があった。
【０００９】
更に、畜舎内に流入する外気が逆風となって送風ファンと衝接した場合、送風ファンの
回転数は一時的に低下するので、送風装置の電動機は送風ファンの回転数低下を補正する
ために、回転数を設定回転数に戻すべく低下した回転数を上昇させようとする。この結果
、送風装置の電動機には送風ファンの回転数の維持を図る関係から必要以上の電流が流れ
ることにより、電力エネルギーを無駄に消費するという問題があった。
【００１０】
本発明は、前記の問題点に鑑み、運転中の送風装置が畜舎内に流入する外気の流速によ
って、送風ファンの回転数が所定の回転数から一定時間以上逸脱した場合、前記送風装置
の運転を一旦停止させ、かつ、前記外気の流速が低下した時点で送風装置を再駆動させる
ことにより、畜舎内が送風装置の停止による悪影響を受けるのを良好に回避して、畜舎内
の飼育環境向上と送風装置の省エネ運転を可能とした、改良された畜舎用送風装置の提供
を目的とする。
【課題を解決するための手段】
【００１１】
前記の課題を解決するために、請求項１記載の発明は、畜舎内の長手方向に沿って直線
状に配列されて吊設した複数の送風装置と、前記畜舎内に取付けられて畜舎内の温度を検
出する温度検出センサと、前記畜舎の出入口や窓から畜舎内に流入する外気の流速に応じ
て送風装置への通電停止及び通電開始を制御する送風装置の駆動運転制御部とを具備して
構成したことを特徴とする。
【００１２】
請求項２記載の発明は、請求項１記載の畜舎用送風装置において、前記駆動運転制御部
には、畜舎内に流入する外気の流速により送風装置の送風ファンが所定の設定回転数を一
定時間以上逸脱した場合、前記送風装置への通電を停止させて送風装置の運転を停止させ
る電動機停止手段を具備させたことを特徴とする。
【００１３】
請求項３記載の発明は、請求項１記載の畜舎用送風装置において、前記駆動運転制御部
には、送風装置への通電停止中において外気の流入により空転する送風装置の送風ファン
の空転回転数が所定の設定回転数以下の場合は、送風装置への通電を再開する通電再開指
令手段を具備させたことを特徴とする。
【００１４】
請求項４記載の発明は、請求項１記載の畜舎用送風装置において、前記駆動運転制御部
には、送風装置への通電再開後において送風ファンが所定の時間内に設定回転数に達しな
い場合は、送風装置の駆動を異常と判定する機能を内蔵した制御部と、該制御部からの指
令にて送風装置への通電停止を指令する通電停止手段と、送風装置の異常停止を報知する
報知手段とを具備させたことを特徴とする。
【００１５】
請求項５記載の発明は、請求項１記載の畜舎用送風装置において、前記駆動運転制御部
には、畜舎内の検出温度に追随した回転数にて送風装置の送風ファンを回転させるように
した送風装置の回転数を可変する機能を内蔵した制御部と、前記送風ファンの回転数が畜
舎内に流入する外気の流速により前記検出温度に追随する回転数を一定時間以上逸脱した
場合は、前記送風装置への通電を停止させる電動機停止手段とを具備させたことを特徴と
する。
【発明の効果】
【００１６】
請求項１記載の発明において、畜舎内に吊設して配設した各送風装置は、各送風装置に
具備した温度検出センサにより検出した温度に対応する回転数にて送風ファンを回転させ
ることができるとともに、畜舎内に流入する外気の流速に応じて、送風装置の運転を一時
停止したり、再運転させるように構成されているので、畜舎内は送風装置自体を畜舎内の
温度に対応して回転数を軽減させることが可能となり、即ち、寒・暖に応じて送風ファン
回転数制御を行うことができるため、畜舎内は常に家畜の飼育に適した温度環境に維持す
ることが可能となる。この結果、家畜は例えば、夏場の暑い時期においても、体調を崩し
たりすることなく衛生的に、かつ、健全な状態で飼育することができ至便である。しかも
、本発明においては、畜舎内に流入する外気の流速に応じて送風装置の運転を、該送風装
置に設けた、駆動運転制御部からの指令にて停止したり、再開したりすることができるの
で、送風装置の省エネ運転が可能になるとともに、送風装置が外気の流速により送風ファ
ンの回転を停止させても、外気はそのまま畜舎内に流入することになるため、畜舎内は送
風装置の運転状態と同様の換気・乾燥状態に保持することが可能となる結果、畜舎内は家
畜の飼育に適した環境条件を良好に維持することができる。
【００１７】
請求項２記載の発明においては、送風装置の送風ファンが畜舎内に流入する外気の流速
によって設定回転数を逸脱して回転する場合は、送風装置に設置した駆動運転制御部から
の指令にて電動駆動する送風装置の運転を直ちに停止するように構成されているので、畜
舎が開放されている状態で畜舎内に流入する外気が、送風装置の設定回転数を一定時間以
上逸脱させるような強い流速（風力）である場合、駆動する送風装置の送風ファンを直ち
に停止させて、送風ファンや送風装置が強風の流入によって損傷するのを未然に回避する
ことができ、利便である。
【００１８】
請求項３記載の発明においては、外気の流速にて設定回転数を一定時間以上逸脱して回
転を停止した送風装置の送風ファンが、畜舎内に流入する外気により空転している場合、
この空転回数数が所定の空転回転数以下のときは、駆動運転制御部からの指令にて送風装
置への通電を再開して送風ファンを回転させるように構成されているので、外部からの流
速にて一旦回転を停止した送風ファンは、畜舎内に流入する外気の流速が低下した時点で
直ちに回転を再開させることが可能なため、畜舎内は外気の流速が低下するとほぼ同時に
送風装置を再駆動させることができるので、畜舎内の温度上昇や湿気の滞留が良好に回避
でき、家畜の飼育条件が悪化するのを確実に防ぐことができる。
【００１９】
請求項４記載の発明においては、送風装置への通電再開後、送風ファンの回転数が所定
の時間内において所定回転数に達しない場合、駆動運転制御部からの指令にて送風装置へ
の通電を断って運転を停止させるとともに、送風装置が異常であることを報知手段により
報知するように構成されているので、送風装置の運転再開時、送風ファンに外気の流入に
より飛散した異物が絡まって送風ファンの回転が困難な場合とか、畜舎内に流入する外気
の流速により吊設されている送風装置が揺動して畜舎の梁とか支柱，壁面等に衝接して送
風ファンが変形して回転が困難となった場合に、送風ファンを無理に回転させて送風装置
自体を破損したり、送風ファンを駆動する電動機に多大な電流が流れることによって電動
機が過熱したり焼損するという事態を未然に、かつ、良好に防ぐことができ、利便である
。
【００２０】
請求項５記載の発明においては、送風装置は該送風装置付近の温度を検出し、この検出
した温度に対応する回転数にて送風ファンを回転させることができることはもとより、回
転数の増・減は温度に比例して可変できるように構成されているので、温度が比較的高く
なりやすい畜舎の中央付近と、逆に、外気の流入により温度の上昇が抑制され易い畜舎の
窓とか出入口の扉付近とでは、送風ファンの回転数が異なることにより家畜は畜舎のどの
部位での飼育に際しても、最適な飼育環境での飼育を行うことができるため利便であると
ともに、外気の流速によって送風ファン自体が所定回転数を一定時間以上逸脱して回転す
る場合は、送風装置を直ちに停止させることができるので、送風装置は例えば、追い風を
受けて送風ファンの回転数が所定回転数を上回って回転することにより、電動機やインバ
ータの電気回路に通電される電圧が高くなってインバータが損傷するのを良好に阻止し、
逆に、向い風の場合は送風ファンの回転数低下により、回転数を増すために電動機のコイ
ルに大きな電流を流すことによって電動機が焼損するという問題を未然に回避することが
可能となり、送風装置を長期に亘り安定した状態で、しかも、電力消費量を低減して使用
することができ、利便である。
【発明を実施するための最良の形態】
【００２１】
以下、本発明の実施例を図１ないし図７により説明する。図１において、１は家畜類を
飼育する畜舎であり、この畜舎には複数台の送風装置２が、畜舎１の長手方向に沿って、
該畜舎１内の天井部付近の空間を利用して架設した送風装置支持梁１ａに、例えば、送風
装置２自体を送風ファン３が斜め下向になるように、傾斜させた状態で吊設・保持されて
いる。
【００２２】
そして、前記畜舎１内に配設された複数の送風装置２は、商用電源等からなる駆動電源
４に対して図３に示すように、それぞれ電力線５を介して並列接続されている。また、図
３において、６は駆動電源４に接続した操作装置を示し、この操作装置６は、基本的に前
記送風装置２の運転を駆動制御するために内蔵されたコントローラ７と、該コントローラ
７を操作するための操作部８（図５参照）とによって概略構成されている。
【００２３】
そして、前記コントローラ７と送風装置２は信号線９を介して接続されており、コント
ローラ７から各種の指令信号を、各送風装置２を構成する後述する電動機２１に付設した
駆動運転制御部２０に送出する。また、図３に示す１１は、畜舎１内に取付けた温度検出
センサを示し、この温度検出センサ１１にて検出した温度検出信号は、信号線１２を介し
て駆動運転制御部２０に送出される。
【００２４】
更に、前記送風装置２を吊設した畜舎１には、図１，２，４に示すように、飼育者や家
畜が出入するための出入口１３と、畜舎１の側壁に外気を取り入れるための窓１４が所定
数設けられている。そして、前記窓１４は、例えば、個別に開閉するのか、あるいは、ハ
ンドル操作によって一括開閉するかは、任意の図示しない開閉手段を用いて開閉すればよ
い。
【００２５】
次に前記操作装置６の構成について説明する。はじめに、操作装置６の操作部８には、
図５に示すように、操作装置６をＯＮ／ＯＦＦする電源スイッチ１５と、畜舎１内の温度
を入力する操作スイッチ１６と、送風装置２の回転数を入力する回転数設定スイッチ１７
と、送風装置２をＯＮ／ＯＦＦする操作スイッチ１８とが設けられている。
【００２６】
そして、操作装置６に内蔵したコントローラ７は、前記の各種スイッチ１５〜１８を操
作することにより、あらかじめ設定されたプログラムによって送風装置２の駆動をスター
トさせるためのもので、前記コントローラ７には概略次に示す機能を具備したプログラム
が格納されている。
【００２７】
（１）電源スイッチのＯＮ／ＯＦＦ操作機能
電源スイッチ１５を操作して操作装置６に内蔵したコントローラ７の電源部に操作電源
を通電させたり、停止させたりしてコントローラ７をＯＮ／ＯＦＦさせるための機能を備
えたプログラム。
【００２８】
（２）操作スイッチによる温度情報入力機能
畜舎１内の温度情報を操作スイッチ１６にてコントローラ７の図示しない入力部に入力
することにより、前記入力した基準温度を表示器ａに、例えば、デジタル表示させる機能
と、送風装置２の前記駆動運転制御部２０に前記コントローラ７の入力部に入力した温度
情報を伝送する機能とを備えたプログラム。
【００２９】
（３）回転数設定スイッチによる送風装置の回転数情報入力機能    
回転数設定スイッチ１７によりコントローラ７の図示しない入力部に、送風装置２の送
風ファン３の基準回転数を入力することにより、前記入力した回転数を表示器ｂに、例え
ば、デジタル表示させる機能と、送風装置２の駆動運転制御部２０に基準回転数の情報を
出力する機能とを備えたプログラム。
【００３０】
また、前記送風装置２の回転数情報入力機能を備えたプログラムには、畜舎１内の基準
温度を２０℃に設定した場合、送風ファン３の基準回転数を３００ｒｐｍ／２０℃と設定
し、以下、前記基準温度の設定を１℃上昇したり降下したりする毎に、１０ｒｐｍ／１℃
ずつ回転数を増・減させ、かつ、送風ファン３を最低温度（０℃）では１００ｒｐｍ、最
高温度（４０℃）では５００ｒｐｍで回転させることができる機能を備えたプログラムと
、飼育者が送風ファン３の回転数を入力した場合、例えば、基準温度を２０℃と入力した
後、送風ファン３の回転数を３５０ｒｐｍと入力したときは、送風ファン３を前記入力し
た回転数（３５０ｒｐｍ）で回転させることができる機能を備えたプログラムと、更に、
基準温度２１℃と入力し、送風ファン３の回転数を入力しない場合は、送風ファン３の回
転数は３１０ｒｐｍとして、即ち、入力した基準温度に対応する回転数により回転させる
機能を備えたプログラムとをそれぞれ具備して、基準温度に対応する基準回転数を送風装
置２の駆動運転制御部２０に出力する機能も具備して構成されている。
【００３１】
なお、前記基準温度に対応する基準回転数を設定したプログラムにおいて、畜舎１内が
最高温度あるいは最低温度を更新するようなときは、事前に設定した４０℃または０℃の
温度に対応する回転数を維持して送風ファン３を回転させるようにプログラム設定されて
いることは云うまでもない。即ち、畜舎１内の温度が４０℃を越えた場合は、４０℃の温
度に対応する回転数で、０℃以下に降下したときは、０℃に対応する回転数にて送風ファ
ン３を回転させるようにプログラム設定されている。
【００３２】
（４）送風装置のＯＮ／ＯＦＦ操作機能
送風装置２の運転内容（畜舎１の基準温度入力，送風ファン３の基準回転数入力）を設
定した後、送風装置２の電動機２１への通電・通電停止指令を行うもので、即ち、送風装
置２を運転／停止させるための運転／停止操作スイッチ１８の機能を備えたプログラムで
，通電・通電停止の指令信号は、前記運転停止操作スイッチ１８の投入により送風装置２
の駆動運転制御部２０に出力される。
【００３３】
次に、前述した駆動運転制御部２０について説明する。この駆動運転制御部２０は図３
，５に示すように、各送風装置２を構成する電動機２１個々にそれぞれ付設されており、
操作装置６のコントローラ７とは信号線９を介して並列接続されている。
【００３４】
そして、前記駆動運転制御部２０は、図６に示すように、温度・回転数情報の入力部２
２と、前記入力部２２に入力される各種の情報と、メモリ２３から読み出した所要データ
とを比較処理して電動機２１の運転を駆動制御するインバータ３１に制御指令信号を出力
する制御部２４と、前記制御部２４からの制御指令信号にて通電指令信号を出力する通電
指令手段２５及び通電再開始指令手段２６と、送風装置２の起動後、所定時間内に送風装
置２の電動機２１に異常が生じたとき、制御部２４からの制御指令信号にて通電停止指令
信号を出力する通電停止手段２７と、前記通電指令手段２７が作動したことを報知する報
知手段２８と、送風装置２の異常時、制御部２４からの制御指令信号によってインバータ
３１の駆動を停止して電動機２１の駆動を止める電動機停止手段２９と、前記各種手段２
５〜２９からの指令信号に基づいてインバータ３１に駆動あるいは停止指令信号を出力す
る出力手段３０とによって概略構成されている。
【００３５】
次に、前記駆動運転制御部２０における各構成手段の詳細について説明する。はじめに
、入力部２２の機能について説明する。この入力部２２はコントローラ７から出力される
畜舎１の基準温度情報と送風ファン３の基準回転数情報と、畜舎１内に設置した温度検出
センサ１１にて検出した検出温度情報（以下、検出温度という）と、送風ファン３を回転
させる電動機２１から検出した回転数情報（送風ファン３の回転数で、以下回転数という
）を個別に入力し、これら各情報を後述する制御部２４に分別して出力する機能を具備し
て構成されている。
【００３６】
つづいて、前記制御部２４からの読み出し指令にて所要のデータを前記制御部２４に出
力するメモリ２３について説明する。このメモリ２３には温度検出センサ１１にて検出し
た畜舎１内の当該温度検出センサ１１を備えた送風装置２付近の温度と、送風ファン３の
回転数との関係を示すデータ、即ち、検出温度が２０℃の場合、送風ファン３の回転数を
３００ｒｐｍとし、以降温度検出センサ１１により検出した検出温度が１℃昇・降する毎
に、送風ファン３の回転数を例えば、１０ｒｐｍずつ増・減させ、かつ、検出温度がその
上限（４０℃：５００ｒｐｍ）、下限（０℃：１００ｒｐｍ）に達したときの限界回転数
を設定した検出温度と回転数との関係を示す温度・回転数情報のデータ（この場合、必要
に応じて基準回転数を、例えば、２０℃で回転数が２５０ｒｐｍと設定した場合において
も、検出温度が１℃昇・降する毎に送風ファン３の回転数を１０ｒｐｍずつ増・減できる
ことは云うまでもない）と、送風ファン３の回転数が外的要因（畜舎１内に流入する外気
）によって所定の回転数を上回わったり、下回わった場合、例えば、コントローラ７にて
設定された基準回転数が２０℃で３００ｒｐｍの場合、外的要因によって送風ファン３の
回転数が３３０ｒｐｍ以上に上昇（追い風の場合）、あるいは、２７０ｒｐｍ以下に低下
（向かい風の場合）したとき、即ち、前記送風ファン３が前記基準回転数に対して３０ｒ
ｐｍ以上余分に、あるいは、少なく回転したとき送風装置２の運転を停止させる、送風装
置２の運転と停止との関係を示す送風装置運転・停止情報のデータと、送風装置２の運転
停止中において送風ファン３の空転回転数により送風装置２の運転を再開するか、否か（
例えば、送風ファン３の空転回転数が７０ｒｐｍ以下の場合は送風装置２の再駆動を、７
０ｒｐｍ以上のときは停止状態の継続）を判定する送風装置２の再駆動と停止状態継続と
の関係を示す送風装置再運転情報のデータとを格納して構成されており、前記各情報のデ
ータは次に説明する制御部２４からの読み取り機能により制御部２４に随時読み取られて
、利用することができるものである。
【００３７】
前記した制御部２４は種々の制御機能を備えたプログラムを格納して構成されている。
前記種々のプログラムとは大別すると、送風ファン３の回転数を温度検出センサ１１にて
検出した温度毎に可変させる回転数可変プログラムと、送風ファン３の回転数が基準回転
数に対して３０ｒｐｍ増・減したとき送風装置２の運転を停止させる送風装置２の緊急停
止プログラムと、送風装置２への通電を継続する通電（運転）継続プログラムと、運転を
停止していた送風装置２の運転を再開させる通電（運転）再開プログラムと、送風ファン
３の回転数が所定時間を経過しても基準回転数に達しない場合は、送風装置２に異常が生
じたと判定し、送風装置２の運転を停止（電動機２１の停止）させる異常判定プログラム
であり、前記各プログラムを具備して制御部２４は構成されている。
【００３８】
次に、前記制御部２４を構成する各プログラムの概要について説明する。最初に、回転
数可変プログラムは、コントローラ７により設定された畜舎１の基準温度と基準回転数が
２０℃・３００ｒｐｍの状態で送風ファン３を回転しているとき、温度検出センサ１１に
より送風ファン３（送風装置２）付近の温度が２１℃として検出された場合、メモリ２３
から２１℃における送風ファン３の回転数を読み出し、該送風ファン３を回転させる電動
機２１を２１℃の回転数（３１０ｒｐｍ）で回転させるための回転数変更指令の制御指令
信号を後述する通電指令手段２５に出力する機能を備えたプログラムである。
【００３９】
つづいて、緊急停止プログラムは、例えば、送風ファン３が２０℃において３００ｒｐ
ｍの回転数に設定されて回転しているとき、畜舎１内に流入した外気の流速によって送風
ファン３の回転数が、温度検出センサ１１にて検出した温度が２０℃を越えたり、２０℃
以下に降下するような事態でないにもかかわらず増・減し、かつ、その増・減の範囲が基
準回転数の回転数を更に３０ｒｐｍ以上上回るか（追い風）、あるいは、下回わった（向
かい風）場合、メモリ２３より検出温度に対応する回転数のデータを読み出し、そのデー
タ記載の回転数と実際の回転数とを比較し、その差が３０ｒｐｍ以上増・減したとき、電
動機２１の回転（運転）を停止させるための通電停止指令信号を後述する電動機停止手段
２９に出力する機能を備えたプログラムである。
【００４０】
通電（運転）継続プログラムは、畜舎１内の温度が事前に設定した場合の基準温度、あ
るいは、温度検出センサ１１により検出した温度（この場合は事前に設定した基準温度に
対して増・減した現時点での温度を指す）において、畜舎１内に流入する外気の影響を受
けることなく送風ファン３が回転を続行している場合は、電動機２１の回転数とメモリ２
３から読み出した畜舎１内の基準温度に対応する回転数とを比較し、その回転数が３０ｒ
ｐｍ以内の場合であれば、電動機２１を現在の回転数で回転を継続させるための制御指令
信号を通電指令手段２５に出力する機能を備えたプログラムによって構成されている。
【００４１】
次に、通電（運転）再開プログラムは、送風ファン３の回転数が外気の流速によって基
準回転数に対して回転数を３０ｒｐｍ以上オーバー、あるいは、降下して送風装置２の駆
動が強制的に停止された後、前記送風ファン３が流入する外気により空転している空転回
転数と、メモリ２３から読み出した送風装置２の運転を再開する設定条件の空転回転数（
本例では７０ｒｐｍ）とを比較し、送風ファン３の空転回転数が、運転再開時の回転数を
下回ったとき、電動機２１を再駆動させるための通電再開指令信号を通電再開指令手段２
６に出力する機能を備えたプログラムによって構成されている。
【００４２】
また、異常判定プログラムは、送風装置２の運転開始時とか、外的要因によって運転を
一時停止していた後の再運転時おいて、即ち、送風装置２の電動機２１に対する通電開始
及び通電再開始における送風ファン３の回転数が、基準あるいは検出温度に対応する所定
の回転数に達していないとき、例えば、２１℃温度で回転数が３００ｒｐｍの場合におい
て、通電開始（通電再開始）後の送風ファン３の回転数が、通電から１５秒後においても
３００ｒｐｍに到達せず、かつ、下限回転数が７５ｒｐｍ以下の場合、制御部２４は当該
送風装置２の電動機２１に異常が生じたと判定し、前記電動機２１の異常駆動を停止させ
るための異常運転停止指令信号（通電停止指令信号）を後述する通電停止手段２７に出力
する機能と、駆動中の電動機２１の回転数が急速に低下し、その回転数が７５ｒｐｍ以下
となった場合、電動機２１の運転を停止させる制御指令信号を出力する機能と、を備えた
プログラムである。なお、送風ファン３が所定の時間内において基準回転数に達しないの
は、送風装置２に藁等の異物が絡まって送風ファン３の回転を阻害したり、電動機２１の
コイルに異常電流が流れてコイルが断線して電動機２１への通電ができなくなった場合を
想定して、この異常判定プログラムは設定されている。
【００４３】
また、前記制御部２４には、該制御部２４に入力される各情報に対応するプログラムを
種々のプログラムから選択する機能と、所定のプログラムにより処理した送風ファン３の
回転数データとか制御指令信号を、後述する通電指令手段２５に出力する機能を備えたプ
ログラムが含まれていることは云うまでもない。
【００４４】
そして、前記通電指令手段２５は、前記制御部２４から出力される通電継続及び回転数
変更の制御指令信号及び制御部２４から後述する通電再開指令手段２６を介して出力され
る通電再開指令信号が入力されると、前記入力された指令信号に基づき通電指令信号を後
述する出力手段３０に出力する機能を備えたプログラムによって構成されている。
【００４５】
つづいて、前述の通電再開指令手段２６は、送風装置２自体が外的要因によって運転を
一旦停止した後、停止中における送風ファン３の空転回転数が７０ｒｐｍ以下の場合、制
御部２４からの再駆動させるための制御指令信号の入力を受けて作動し、通電再開始指令
信号を通電指令手段２５に出力し、この通電指令手段２５からの通電指令信号により送風
を停止していた送風装置２の電動機２１を再駆動させる前記の通電再開指令信号を通電指
令手段２５に出力する機能を備えたプログラムによって構成されている。
【００４６】
また、前記の通電停止手段２７は、電動機２１が正常な回転数で回転しているとき、あ
るいは、電動機２１の運転再開直後の回転数が何等かの理由により通電再開時の回転数の
１／４以上上昇せず、かつ、その回転数が所定時間（例えば、１５秒間）続いたりする場
合、前記制御部２４から出力される異常運転停止指令信号が入力されると、直ちに後述す
る報知手段２８に当該電動機２１が異常運転状態であることを知らせる制御指令信号を出
力する機能を備えたプログラムにより構成されている。
【００４７】
そして、前記報知手段２８は、通電停止手段２７から電動機２１の異常運転を知らせる
制御指令信号が入力されると、当該異常運転状態の送風装置２に設けた例えば、図示しな
い報知ランプとか畜舎１内の報知ブザーを作動させて、飼育者に異常を報知させる機能と
、当該電動機２１への通電を直ちに断つ通電停止指令信号を後述する電動機停止手段２９
に出力する機能とを備えたプログラムによって構成されている。
【００４８】
つづいて、前記電動機停止手段２９は、制御部２４あるいは報知手段２８から出力され
る通電停止指令信号が入力されると、直ちに作動して後述する出力手段３０に通電停止指
令信号を出力する機能を備えたプログラムによって構成されており、前記通電停止指令信
号の出力によりインバータ３１は駆動を停止し、電動機２１の回転を停止させて送風ファ
ン３による送風を中止する。
【００４９】
また、前記した出力手段３０においては、通電指令手段２５から出力される通電継続及
び回転数変更の各制御指令信号に基づく通電指令信号が入力されると、各指令信号に対応
してインバータ３１に駆動指令信号を出力する機能と、前記通電停止手段２７から出力さ
れる通電停止指令信号の入力により、インバータ３１に駆動停止指令信号を出力する機能
とを備えたプログラムにより構成されている。
【００５０】
そして、前記インバータ３１は、出力手段３０から出力される駆動指令信号により駆動
制御されて、電動機２１への通電を制御して電動機２１を基準、あるいは、設定回転数に
より駆動させて送風ファン３にて畜舎１内を換気・乾燥するように構成されている。また
、インバータ３１に駆動停止指令信号が入力された場合は、直ちに電動機２１への通電を
阻止して電動機２１の駆動を停止させて送風ファン３による送風を中止することは云うま
でもない。
【００５１】
次に、本発明の動作を図７に示すフローチャートに基づいて説明する。送風装置２は図
１，２に示すように、畜舎１内において、複数台例えば、飼育する家畜の頭数とか、飼育
環境を考慮して、それぞれ所定の間隔を保って複数列にわたり設置（吊設）した実施例に
ついて説明する。
【００５２】
最初に、送風装置２の正常時における運転状況について説明する。この場合、畜舎１の
窓１４とか出入口１３の扉は厳冬期とか雨水が畜舎１内に降り込む場合を除き、日中はほ
ぼ開放されている。送風装置２の駆動に際しては、操作装置６の操作部８に設けてある各
種のスイッチ１５〜１８や設定キーを手動操作して、送風装置２の運転状況を設定する。
送風装置２の運転状況の設定は、操作装置６に具備したコントローラ７を操作することに
よって行われる。前記コントローラ７には、畜舎１内の温度を設定することにより送風装
置２の回転数を事前に設定する、即ち、基準回転数の設定をはじめ、前記設定した温度・
回転数情報を各送風装置２に設けた駆動運転制御部２０に送出するプログラムをはじめ、
電源スイッチ１５や送風装置２をＯＮ／ＯＦＦ制御する各種スイッチ類の操作プログラム
や、前記送風装置２の送風ファン３の回転数を設定するための温度・回転数情報を選択す
るデータベース等が格納されている。
【００５３】
はじめに、操作装置６の電源スイッチ１５を投入してコントローラ７を駆動させる。つ
づいて、操作スイッチ１６を操作して畜舎１内の温度を入力する。この場合、畜舎１内の
温度が体感的、あるいは、温度計によって２０℃であれば、前記操作スイッチ１６を操作
して表示器ａに設定温度情報２０℃をデジタル表示させる（図７のＳ１参照）
【００５４】
次に、回転数設定スイッチ１７を操作して送風装置２の送風ファン３の回転数を設定す
る。送風装置２の回転数設定は季節に応じて例えば、春，夏，秋において、２０℃でも、
畜舎１内の乾燥状態とか湿気の多少の度合いを考慮して設定するもので、夏季のように温
度や湿度が高い場合とか、暑くなりそうなときは比較的早い回転数が選択され、春先とか
秋口は同じ２０℃でも空気が乾燥している季節では、回転数をやや少な目に選択すること
を考慮して設定するものである。勿論、送風ファン３の回転数にこだわる必要がないとき
は、温度を入力することにより、その温度に対応する回転数が温度・回転数情報のデータ
ベースから選択されることは云うまでもない。
【００５５】
例えば、２０℃の温度を入力し、回転数設定スイッチ１７を操作しない場合は、事前に
設定されている温度・回転数情報のデータベースによって、本例では２０℃に対応する回
転数（３００ｒｐｍ）が自動的に設定することができるようにプログラムされている。ま
た、２０℃において回転数を２５０ｒｐｍとか、逆に、３５０ｒｐｍとした場合は、設定
したい回転数を回転数設定スイッチ１７を操作し、基準回転数を入力することにより表示
器ｂに入力した回転数をデジタル表示させることによって、送風装置２の回転数の入力操
作を終えるものである。（図７のＳ２参照）。
【００５６】
このように、送風ファン３の回転数を設定したら送風装置２の運転／停止操作スイッチ
１８を投入する。前記運転／停止操作スイッチ１８の投入により、コントローラ７から送
風装置２の駆動運転制御部２０に前記設定した温度・回転数情報が信号線９を介して出力
され、前記駆動運転制御部２０からインバータ３１に駆動指令信号が出力され、インバー
タ３１を駆動して送風装置２の電動機２１を起動し、送風ファン３を回転させる。（図７
のＳ３，Ｓ４参照）
【００５７】
前記のように、各送風装置２の電動機２１を起動すると、各送風ファン３は前記設定さ
れた、例えば、２０℃の基準回転数（３００ｒｐｍ）により一斉に回転を開始し、畜舎１
内を換気・乾燥させる。そして、畜舎１内に配設した各送風装置２には温度検出センサ１
１が具備されており、この温度検出センサ１１のデータは、リアルタイムに温度検出セン
サ１１を備えた送風装置２の駆動運転制御部２０の入力部２２に入力される。
【００５８】
前記入力部２２に入力された温度検出センサ１１の検出温度は、制御部２４に送出され
、この制御部２４においてメモリ２３から検出温度に相当する温度データを読み出し、こ
の温度データに示される送風ファン３の回転数を把握する。この場合、例えば、温度検出
センサ１１にて検出した温度が２０℃であれば、制御部２４から２０℃の検出温度に相当
する回転数を読み出し、事前にコントローラ７にて設定された基準回転数と対比する。
【００５９】
そして、前記対比の結果、温度検出センサ１１による検出温度が事前にコントローラに
て設定した温度と同じであれば、設定温度時の送風ファン３の回転数の駆動指令信号が制
御部２４から通電指令手段２５→出力手段３０→インバータ３１に出力され、該インバー
タ３１を設定温度に対応する回転数にて電動機２１を回転させるように駆動制御し、電動
機２１をこれまでどおり２０℃の温度に対応する回転数（３００ｒｐｍ）にて駆動させて
、送風ファン３の回転を継続させる（図７のＳ５，Ｓ７参照）。
【００６０】
一方、温度検出センサ１１により検出した温度が事前に設定した基準温度より高い温度
の場合、例えば、２１℃を検出したときは、その検出温度情報が入力部２２から制御部２
４に入力されると、制御部２４はメモリ２３により２１℃の温度情報に対応する回転数を
読み出し、コントローラ７にて設定された基準回転数と対比する。この場合、基準回転数
は２０℃の温度の場合、３００ｒｐｍの回転数に設定されているものの検出温度は２１℃
であるため、２１℃の温度における回転数は３１０ｒｐｍ（温度が１℃上昇する毎に回転
数は、１０ｒｐｍずつ速くなるように事前にプログラム設定されている）となり、制御部
２４からは３１０ｒｐｍに設定された回転数（設定回転数）の駆動指令信号が通電指令手
段２５→出力手段３０→インバータ３１に出力され、インバータ３１を電動機２１が３１
０ｒｐｍで回転できるように駆動制御して電動機２１を回転させ、送風ファン３の回転数
を基準回転数３００ｒｐｍから設定回転数３１０ｒｐｍに変更する（図７のＳ６，Ｓ８参
照）。
【００６１】
このように、各送風装置２に設けた温度検出センサ１１が、事前に設定した基準温度に
対して差異が生じると、検出温度が優先し、駆動運転制御部２０は検出温度の温度情報に
基づき電動機２１の回転数を基準回転数から設定回転数に変更し、送風ファン３を常に畜
舎１内の現実の温度に対応する回転数にて回転させて換気・乾燥状態を良好に維持するこ
とができる。この場合、送風装置２はその設置場所において検出温度センサ１１の検出温
度が事前に設定した基準温度と同じであれば、送風ファン３は基準温度（２０℃）に対応
する基準回転数（３００ｒｐｍ）で回転を継続しているため、畜舎１内で飼育されている
家畜は、畜舎１内の飼育場所に対応する温度の回転数で送風装置２を駆動させることによ
り、即ち、送風装置２を一律の回転数によって駆動させることなく、畜舎１内の飼育環境
に応じて送風ファン３の回転数が設定されているので、家畜は体調を良好に維持して飼育
することができる（図７のＳ７，Ｓ９，Ｓ１１参照）。
【００６２】
前記の説明は畜舎１内の温度が上昇した場合に送風装置２の送風ファン３の回転数が速
くなる実施例について説明したが、逆に畜舎１内の温度が基準温度（２０℃）より低下し
た場合、例えば、温度検出センサ１１が１８℃の温度を検出した場合、検出温度は基準温
度より２℃低いことになるため、駆動運転制御部２０は送風ファン３の回転数を基準回転
数（３００ｒｐｍ）に対し回転数を２０ｒｐｍ減らした設定回転数（２８０ｒｐｍ）で回
転することができるようにプログラム設定されているので、１８℃の温度を検出した温度
検出センサ１１を有する送風装置２付近は、１８℃の温度を検出していない他の送風装置
２の部位に比べて送風ファン３の回転数を減らして（あるいは増やして）回転させること
ができることは云うまでもない。このように、本発明においては、送風装置２の設置場所
毎にその部位の温度に対応する回転数にて送風ファン３を回転させるように制御している
ので、畜舎１内の飼育環境を良好に向上させることができる（図７のＳ９参照）。
【００６３】
次に、運転中の送風装置２が畜舎１内に流入した外気の流速によって送風ファン３の回
転数が、基準回転数または設定回転数を上回って回転した場合の対応について説明する。
この場合は、例えば、畜舎１内の窓１４際とか出入口１３付近に設置した送風装置２が、
外気の流入による流速を受けて送風ファン３の回転数が基準あるいは設定回転数を一定時
間以上上回った場合（追い風を受けた場合）とか、下回ったとき（向かい風を受けたとき
）は、電動機２１からの回転数情報の信号が入力部２２を経て制御部２４に入力されると
、制御部２４は該制御部２４に入力される温度検出センサ１１の検出温度に対応する温度
をメモリ２３から読み出し、電動機２１から入力される回転数とメモリ２３から読み出し
た回転数とを緊急停止プログラムにて対比し、その差異が３０ｒｐｍを上回っている（下
回っている）と判定すると、制御部２４は直ちに電動機停止手段２９に電動機２１の回転
を緊急停止させる通電停止指令信号を出力する（図７のＳ１３参照）。
【００６４】
前記電動機停止手段２９は、制御部２４からの通電停止指令信号が入力されると、出力
手段３０にインバータ３１の駆動を停止させる駆動停止指令信号を出力してインバータ３
１の駆動を停止させ、電動機２１への通電を断ち電動機２１の回転運動を停止させる。こ
の結果、電動機２１は通電による回転は停止されるが、畜舎１内に流入する外気の影響を
受けている限り、送風ファン３は外気の流速に応じて空転を続けている。この場合、通電
を断れた電動機２１を有する送風装置２は一旦通電による駆動を停止するが、送風ファン
３は空転しており、通電が継続している送風装置２は送風ファン３が回転を続けているの
で、一部の送風装置２の通電による駆動が停止しても畜舎１内の換気や乾燥状態を損なう
ことは全くない。
【００６５】
前記のように、駆動運転制御部２０の制御部２４は、畜舎１内に流入する外気を受けて
送風装置２の送風ファン３が、基準あるいは設定回転数を３０ｒｐｍ上回ったり、下回っ
たりして一定時間以上回転した場合、その回転数を検出した時点で直ちに電動機停止手段
２９に通電停止指令信号を出力し、電動機停止手段２９を作動させて電動機２１の駆動（
回転）継続を停止させるように構成されているため、送風装置２の電動機２１は畜舎１内
に流入する外気の影響を受けて送風ファン３の回転数を乱すことによる弊害（送風ファン
３の回転数が追い風により必要以上に速くなることに伴う電圧上昇によるインバータ３１
の損傷とか、逆に、向かい風を受けることによって送風ファン３の回転数が低下すること
により、電動機２１のコイルに大電流が流れることによるコイルの損傷）を未然に回避す
ることができることはもとより、外気の流入による送風ファン３の回転数の乱れに対応し
て送風装置２の駆動を一時的に停止させるため、畜舎１内における送風装置２の省エネ運
転を可能とすることができ、利便である。
【００６６】
そして、前記駆動を停止した送風装置２は、外気の流入による送風ファン３の空転回転
数が常時入力部２２を経て制御部２４に入力され、前記入力された空転回転数と、メモリ
２３から読み出した送風装置再運転情報データに基づく再駆動の条件となる空転回転数７
０ｒｐｍと比較し、送風ファン３の空転回転数が７０ｒｐｍ以上と判定した場合は、電動
機停止手段２９に通電停止指令信号の送出を継続して、電動機２１の駆動停止を継続させ
る。一方、前記送風ファン３の空転回転数が電動機２１の駆動再開の条件である７０ｒｐ
ｍ以下であると判定した場合は、直ちに制御部２４からは温度検出センサ１１にて検出し
た温度に対応する回転数情報が、通電再開指令手段２６に通電再開指令信号として出力さ
れ、通電再開指令手段２６を作動させて出力手段３０に通電指令信号を出力し、インバー
タ３１を駆動させる（図７のＳ１４〜Ｓ１６参照）。
【００６７】
即ち、インバータ３１は出力手段３０から駆動指令信号が入力されると、制御部２４か
ら出力される検出温度に対応する回転数で電動機２１を再回転させるべく駆動制御されて
電動機２１を再駆動させる。電動機２１はインバータ３１の駆動により所定の温度による
設定回転数にて駆動し、送風ファン３を再回転させて畜舎１内を飼育に適した換気・乾燥
状態に維持させるものである（図７のＳ１１〜Ｓ１２参照）。なお、送風装置２の運転を
終えるときは、操作スイッチ１８を遮断することにより送風を中止する。（図７のＳ１７
参照）。
【００６８】
次に、電動機２１の駆動中、あるいは、前記電動機２１を再通電して再駆動させたとき
、電動機２１の回転数が設定回転数の１／４以下（例えば、設定回転数が３００ｒｐｍの
ときの回転数が７５ｒｐｍ）まで降下し、かつ、その回転数を約１５秒間以上維持してい
る場合、制御部２４は入力部２２から前記電動機２１の回転数情報の入力を受けると異常
判定プログラムにより直ちに異常と判定し、通電停止手段２７に通電停止の指令信号を出
力する。
【００６９】
前記通電停止手段２７は異常運転停止指令信号が入力されると、直ちに作動して報知手
段２８によって電動機２１が異常運転状態であることを報知ランプ等にて報知させるとと
もに、電動機停止手段２９に通電停止指令信号を出力し、出力手段３０を介してインバー
タ３１の駆動を停止させる。インバータ３１の駆動停止に伴い電動機２１は通電を断たれ
ることになり、回転を停止し送風ファン３による送風を一旦停止させる。
【００７０】
前記電動機２１が設定回転数で回転しているときとか、通電再開によって駆動を開始し
たときに、設定回転数が維持できなくなるような理由（電動機２１の故障、送風ファン３
に異物が挟み込まれた場合）が生じると、電動機２１の運転を直ちに停止させることがで
きるので、電動機２１の異常運転に気付かずに駆動していることによって生じる弊害（送
風ファン３の破損、電動機２１の焼損）を良好に回避することが可能となり、これにより
、畜舎１内の飼育環境に及ぼす影響を最小限に抑制することができ、利便である。
【００７１】
本発明は、以上説明したように、送風装置２が畜舎１内において外気の流入によって所
定の回転数をオーバーしたり、逆に、低下した場合は直ちに送風装置２の駆動を停止して
、送風装置２が外的要因によって不規則な駆動（回転）を行うことにより生じる弊害を確
実に排除することができるとともに、外的要因によって送風装置２の送風ファン３を空転
させることにより、畜舎１内の換気・乾燥維持が良好に行い得、しかも、送風装置２自体
を前記外的要因の有効活用より省エネ運転を可能とするため、利便である。
【図面の簡単な説明】
【００７２】
【図１】本発明の畜舎用送風装置の取付け状態を示す畜舎の側面図である。
【図２】同じく畜舎の正面図である。
【図３】本発明の畜舎用送風装置の配置状態を概略的に示す構成図である。
【図４】畜舎用送風装置を畜舎内に配設した状態を概略的に示す畜舎の要部横断平面図である。
【図５】本発明の畜舎用送風装置の結線状態を概略的に示す構成図である。
【図６】畜舎用送風装置に設けた駆動運転制御部の構成を概略的に示すブロック図である。
【図７】畜舎用送風装置に設けたの動作を説明するフローチャート図である。
【符号の説明】
【００７３】
１  畜舎
２  送風装置
３  送風ファン
６  操作装置
７  コントローラ  
８  操作部
１１  温度検出センサ
１５  電源スイッチ
１６  操作スイッチ
２０  駆動運転制御部
２３  メモリ
２４  制御部
２５  通電指令手段
２６  通電再開指令手段
２７  通電停止手段
２８  報知手段
２９  電動機停止手段
３０  出力手段
３１  インバータ
【図１】
2007263088.tif 000003
【図２】
2007263088.tif 000004
【図３】
2007263088.tif 000005
【図４】
2007263088.tif 000006
【図５】
2007263088.tif 000007
【図６】
2007263088.tif 000008
【図７】
2007263088.tif 000009